(57)【要約】【課題】環境データや画像データを複数の相手先へ同時送信することができるようにした遠隔データ配信端末を提供する。【解決手段】環境データ及び画像データからなる送信用データを取得するインターフェイス１と、これら送信用データを記憶させておく記憶部２と、公衆無線電話網に接続可能で複数のメールアドレス群を記憶させたデータトランシーバー部３と、設定された時刻にデータトランシーバー部３を制御し前記送信用データを添付ファイルとしてメールアドレス群へ送信する中央制御部４とを備えている。【選択図】    図１
2004180112.tif 000002
【特許請求の範囲】
【請求項１】
環境データ及び画像データからなる送信用データを取得するインターフェイスと、これら送信用データを記憶させておく記憶部と、公衆無線電話網に接続可能で複数のメールアドレス群を記憶させたデータトランシーバー部と、設定された時刻にデータトランシーバー部を制御し前記送信用データを添付ファイルとして前記メールアドレス群へ送信する中央制御部とを備えていることを特徴とする遠隔データ配信端末。
【請求項２】
前記データトランシーバー部は外部から送られてきた電子メールを受け、送信されてきたコードデータに応じて、送信用データの選定、各種設定変更、カメラの向きの設定、メールアドレス群の書き換え、暗証コードの設定と変更、及び中央制御部における送信時刻の設定のうち少なくとも一つを変更することができるように構成されていることを特徴とする請求項１に記載の遠隔データ配信端末。
【請求項３】
前記中央制御部は、環境データ及び画像データに予め設定された以上の変化があったことを検知するパターン認識機能を備え、これら状況の変化があったときにデータトランシーバー部を制御し前記送信用データを添付ファイルとしてメールアドレス群へ送信する機能を有することを特徴とする請求項１または２に記載の遠隔データ配信端末。
【請求項４】
光発電パネル及び充電型電池を備えていることを特徴とする請求項１から３のいずれかに記載の遠隔データ配信端末。
【発明の詳細な説明】
【０００１】
【発明の属する技術分野】
本発明は遠隔データ配信端末に関し、更に詳細には公衆無線電話網をデータ通信に利用したものに関する。
【０００２】
【従来の技術】
近年インターネット環境と携帯電話網の完備に伴って、任意の場所から環境データを送信できるものが提案されている（例えば、特許文献１参照）。
【０００３】
また、最近ではデータトランシーバーとカメラからなる端末を河川や山間地などに設置し、常時接続あるいはオンデマンド接続によって端末を設置した場所の画像データや環境データなどが離れた場所から取得できるようにしたものもある。
【０００４】
【特許文献１】
特開２００１−１１６７４１号公報
【０００５】
【発明が解決しようとする課題】
しかし、前記した特許文献１に記載したものでは人為的にデータを送ることができるに過ぎないため、長期間の監視には不向きである。
【０００６】
また、後者のものでも端末に接続されたサーバーに外部からアクセスしない限りデータを得ることができないため、データの取得が面倒である。
【０００７】
また、複数の場所から当該データを得ようとすれば、個々にサーバーへアクセスする必要があり、その都度データ転送が発生するため、非能率である。
【０００８】
特に気象や河川の監視や火山の監視に使用するような場合には、気象庁、都道府県市町村、国土交通省河川局、土木現業署などがほぼ同時期にアクセスするケースが考えられ、データ転送に支障をきたす虞れもある。
【０００９】
本発明は、かかる従来の問題点を解決するためになされたもので、環境データや画像データを複数の相手先へ同時送信することができるようにした遠隔データ配信端末を提供することを課題とする。
【００１０】
【課題を解決するための手段】
本発明遠隔データ配信端末は前述した技術的課題を解決するために以下のように構成されている。
【００１１】
すなわち、環境データ及び画像データからなる送信用データを取得するインターフェイス１と、これら送信用データを記憶させておく記憶部２と、公衆無線電話網に接続可能で複数のメールアドレス群を記憶させたデータトランシーバー部３と、設定された時刻にデータトランシーバー部３を制御し前記送信用データを添付ファイルとして前記メールアドレス群へ送信する中央制御部４とを備えている。
【００１２】
インターフェイス１としては、ＲＳ２３２Ｃ、ＵＳＢ（Ｖ１．１，Ｖ２．０）、ＩＥＥＥ１３９４などが例示でき、特に画像データではＩＥＥＥ１３９４や１００ｂａｓｅネットワーク接続、あるいはＮＴＳＣが可能である。
【００１３】
データトランシーバー部３はＰＣＭＣＩＡ規格のカードが好適であるが、その他機器内蔵用基盤や一般の携帯電話をネットワーク接続して使用することも可能である。なお、メールアドレスの記憶先は必ずしも物理的にデータトランシーバー部３内のメモリーに記憶させる必要はなく、データトランシーバー部３とデータ交換可能な他のメモリーに記憶させるようにしてもよいのは勿論である。
【００１４】
送信用データを記憶させておく記憶部２はデータ量が大きくなり易い画像データを収容できるよう大容量となっている。中央制御部４は記憶部２及びデータトランシーバー部３を制御して、添付ファイル化した送信用データを前記プロバイダ経由で所定のメールアドレスへ送信するものである。
【００１５】
このとき、多くのメールアドレスへ大容量のデータを送る場合であっても、データ量は１つのメールアドレスへ送る場合と変わらない。つまり一般のメーリングリストと同様に所定のサーバーに送信された後はサーバーから指定のメールアドレスに再送信される。このため、従来方式のように、アクセスが込み合った場合に発生しがちなデータ転送の停滞が起こることはない。
【００１６】
なお、前記データトランシーバー部３は外部から送られてきた電子メールを受け、送信されてきたコードデータに応じて、送信用データの選定、各種設定変更、カメラの向きの設定、メールアドレス群の書き換え、暗証コードの設定と変更、及び中央制御部における送信時刻の設定のうち少なくとも一つを変更することができるように構成されている。
【００１７】
ここで、送信用データの選定とは、画像データ、気温、気圧、水位、ガス濃度、などの各種データを個別に重み付けして送信させる機能である。例えば、河川の水位の変化とその他の環境データを遠隔計測する場合において、集中豪雨が発生した場合では河川の水位の変化に関するデータに重み付けをして重点的に送信させるような機能を例示できる。また、環境とはいわゆる自然環境だけでなく、ドアの開閉、自動車の通過や通過台数、人の往来、などセンサーで検出可能なあらゆるデータを含むのはもちろんである。
【００１８】
各種設定変更とは、データの採取間隔及びデータの解像度、及びデータの圧縮度などを例示できる。これを画像データで説明すると、ＣＣＤカメラによって得られる６４０×４８０ピクセル２４ビットフルカラーのデータ（約９００ＫＢ）が基本データとして入力され、これをＪＰＥＧ圧縮により３２ＫＢまで圧縮する。この圧縮率を変更することで解像度を変更することができ用途に合った解像度の画像が得られる。
【００１９】
その他、カメラの向きの設定、すなわちカメラをチルト方向とパン方向に作動する雲台に乗せ、この雲台を制御することでカメラを任意の方向に向ける機能を有している。
【００２０】
また、メールアドレス群の書き換えとは、データを受ける必要の有無に応じてアドレスリストを編集する機能をいう。
【００２１】
中央制御部４における送信時刻の設定とは、データを送信するインターバル時間の設定であり、例えば毎時正時設定したり、夜間のみ２時間に一度送信するなどの時間設定をいう。これは、任意に変更することが可能である。
【００２２】
さらに、環境データ及び画像データに予め設定された以上の変化があったことを検知するパターン認識機能を設けた場合には、これら状況の変化があったときにデータトランシーバー部を制御し前記送信用データを添付ファイルとしてメールアドレス群へ送信することが可能となる。具体的には河川の水位が所定以上となった場合、時間当たりまたは降り始めからの降水量が設定以上となった場合、震度が設定値以上となった場合、ガス濃度が設定値以上となった場合、などが想定できる。
【００２３】
これらの各種設定の変更は、データトランシーバー部３に制御用メールを送ることで行うが、送られるメールに暗証コードを付加しなければ設定変更ができないようにすることも可能である。
【００２４】
以上、要するに本端末から画像データを含む様々なデータを無線回線を経由して電子メールの添付ファイルとして配信することができるため、極めて多くの相手先に自動的かつ短時間にデータを送ることができる。
【００２５】
なお、本装置は山間地や海岸、あるいは農地などに設置するケースが想定されるため、光発電パネル及び充電型電池（ニッケル水素電池やリチウムイオン電池等）を設けることで完全自立型装置として使用することが可能となる。
【００２６】
これにより、離島における沿岸監視、寒冷地における道路凍結状況及び気温の監視、植物の生育状況の観察、土木工事の進捗記録、及び不法投棄監視など様々な用途で利用することができる。
【００２７】
また、設置場所も地上だけでなく、気球への搭載、船舶への搭載、車両への搭載などが考えられる。
【００２８】
【発明の実施の形態】
以下、本発明の遠隔データ配信端末を図１ないし図５に示される実施形態について更に詳細に説明する。
【００２９】
本端末５は小型の防水ケースで保護されており、その回路構成を図１に示すブロック図で示す。
【００３０】
本端末５には内蔵または外部接続でＣＣＤ（固体撮像板）型のカメラ６が設けられており、画像データを出力するようになっている。また、用途に応じて気温、気圧、水位、振動、加速度、降雨、などの各種センサが適宜用意されており、これらセンサは環境データを出力するようになっている。
【００３１】
これら環境データ及び画像データの送信用データはインターフェイス１及びコネクタ１ａ、１ｂを介して中央制御部４に入力される。なお、インターフェイス１としてはＲＳ−２３２Ｃシリアルインターフェイスが用いられている。
【００３２】
中央制御部４には動作プログラムを収容しておくプログラム格納メモリ７と前記送信用データを記憶させておく記憶部２が接続されている。なお、記憶部２としては大容量ＳＤＲＡＭが使用されている。また、中央制御部４にはそのステートメントを表示するための発光ダイオード（ＬＥＤ）とそのインターフェイス８が接続されている。
【００３３】
前記中央制御部４には、公衆無線電話網に接続可能なデータトランシーバー部３が接続されている。なお、このデータトランシーバー部３としてはＰＨＳのＰＣＭＣＩＡ型カードが使用されており、中央制御部４とのインターフェイスとしてＰＣＭＣＩＡインターフェイス９が介挿されている。
【００３４】
このデータトランシーバー部３内のメモリ（図示せず）または前記記憶部２には複数のメールアドレス群を記憶させてあり、これらメールアドレスに自動的に電子メールを送信することができるようになっている。
【００３５】
中央制御部４は、予め設定された時刻にデータトランシーバー部３を制御し前記送信用データを添付ファイルとして前記メールアドレス群へ送信する機能、及びすべての設定を統括する機能を有している。
【００３６】
なお、前記データトランシーバー部３は外部から送られてきた電子メールを受け、そのデータを中央制御部４に転送することで、送信されてきたコードデータに応じて、送信用データの選定、各種設定変更、カメラの向きの設定、メールアドレス群の書き換え、暗証コードの設定と変更、及び送信時刻の設定ができるようになっている。
【００３７】
図１に示す実施形態では、本端末を商用電源で使用するよう構成され、トランス、整流器、平滑器からなる定電圧電源部１０（出力５Ｖ）と、出力３．３Ｖを得るレギュレータ１１が備えられている。
【００３８】
以上のように構成された端末５は図２に示すように、公衆無線回線を通じてインターネットサービスプロバイダ（ＩＳＰ）とインターネット網からなるネットワーク１２に接続可能となっている。
【００３９】
端末５の具体的な利用例として、図３に示す河川監視システムがある。
【００４０】
このシステムは河川１５の水位データと河川の画像とを指定されたメールアドレス群に自動送信するものである。商用電源が得られないため、端末５には光発電パネル及び充電型電池（いずれも図示せず）を内蔵してありポール１６に取り付けてある。
【００４１】
端末５にはカメラ６が内蔵されているとともに、河川１５の水位を計測する水位センサ１４が接続されており、所定のインターバルでデータが得られるよう設定してある。
【００４２】
この装置の動作を図４のフローチャートで説明すると、まずステップ１００においてカメラ６からの画像データを取得し、ステップ１０１において水位データを取得する。
続いてこれらデータを中央制御部４で処理した添付ファイル化する（ステップ１０２）。そして、データトランシーバー部３を起動してインターネットサービスプロバイダに接続し（ステップ１０３）、所定のメールアドレスに電子メールを送信する（ステップ１０４）。このとき、データは添付ファイルとして送信される。
【００４３】
続いて、各相手側のサーバーにこのデータが到着し（ステップ１０５）、ステップステップ１０６で配信が完了する。
【００４４】
なお、画像データや環境データは通常刻々と変化しているものであるため、その変化の速度や程度を演算することでパターン認識が可能となる。すなわち、画像データでは特定ピクセルの輝度変化を微分することで画像の変化速度が検出でき、この数値を予め設定したしきい値と比較することで、異常と正常を判断させることができる。
【００４５】
同様に、水位の変化を微分することで水位の変化率が検出できるため、急速な増水として判断させることが可能となる。
【００４６】
このような、変化をトリガーとしてデータトランシーバー部３を起動し、前記送信用データを添付ファイルとしてメールアドレス群へ送信することができる。
【００４７】
これら、しきい値の変更、その他の設定変更は端末５側に電子メールを送ることで行える。図５は設定変更の場合のフローチャートを示し、ステップ１１０で管理者が端末５へ制御用の電子メールを送信すると、これが端末５側で受信される（ステップ１１１）。続いて中央制御部４において各種設定の変更がなされ（ステップ１１２）、ステップ１１３においてその結果を管理者側に返信する。これにより設定変更が終了する（ステップ１１４）。
【００４８】
なお、設定変更の電子メールを受けた際に、所定の暗証コードが含まれていないと、設定変更を実行しないようにすることも可能である。
【００４９】
以上、要するに本端末から画像データを含む様々なデータを無線回線を経由して電子メールの添付ファイルとして配信することができるため、極めて多くの相手先に自動的かつ短時間にデータを送ることができる。
【００５０】
【発明の効果】
本発明によれば、端末が取得した画像及び環境データを多くのメールアドレスへ自動的に送ることができる。このため、データを受け取る側からネットにアクセスする必要はなく、定期的にデータを受け取ることができる。
【００５１】
また、データ送信をする場合、１つのメールアドレスへ送る場合も多くのメールアドレスへ送る場合も一回の送信で済むため、従来方式のように、アクセスが込み合った場合に発生しがちなデータ転送の停滞が起こることはない。
【００５２】
さらに、端末における諸設定は外部からの電子メールで容易に変更することができるため、防災用として使用する場合などでは、被害の状況に応じて採取するデータを変更したり、送信インターバルなどを変更することが容易となる。
【００５３】
また、環境データ及び画像データに予め設定された以上の変化があったことを検知するパターン認識機能を備えた場合は、これら状況の変化、すなわち災害の兆候があるなどと自動的に判断して、本来の送信時刻に関係なく臨時にデータ送信させこともできる。
【図面の簡単な説明】
【図１】本発明の一実施形態である遠隔データ配信端末のハードウェアを示すブロック図である。
【図２】遠隔データ配信端末のネットワークを示すブロック図である。
【図３】遠隔データ配信端末の使用態様を示す斜視図である。
【図４】遠隔データ配信端末の、端末側からのデータ配信動作を示すフローチャート図である。
【図５】遠隔データ配信端末の、管理者側からの端末制御動作を示す
フローチャート図である。
【符号の説明】
１  インターフェイス
２  記憶部
３  データトランシーバー部
４  中央制御部
５  端末
６  カメラ
【図１】
2004180112.tif 000003
【図２】
2004180112.tif 000004
【図３】
2004180112.tif 000005
【図４】
2004180112.tif 000006
【図５】
2004180112.tif 000007